(57)【要約】【課題】良好な風力を得ることができ、かつ、十分に風量も得ることができるブロワの風管およびブロワを提供すること。【解決手段】風管４の出口端部４５１に絞り部４５２が設けられているので、この絞り部４５２によって、当該風管４に送られてくる空気の流速を増大させることができ、良好な風力を得ることができる。また、絞り部４５２の後段にフレア部４５３が設けられているので、絞り部４５２を通過した空気をこのフレア部４５３によって拡げながら噴出できる。そのため、空気の噴出時に、当該空気の流れにおける外側の空気が渦流となって当該空気の流れから剥離してしまうことを抑制することができ、十分に風量も得ることができる。よって、本発明の風管４を、例えば落ち葉等の清掃用のブロワ１に適用した場合、良好な清掃能力を得ることができる。【選択図】図１
2010084392.tif 000002
【特許請求の範囲】
【請求項１】
ブロワの風管であって、
出口端部が、絞り部と、前記絞り部の後段に設けられ、前記絞り部から拡開するフレア部とを備えて構成されている
ことを特徴とするブロワの風管。
【請求項２】
請求項１に記載のブロワの風管において、
前記風管の中心線に対する前記フレア部の傾斜角度は、断面視で７度以下である
ことを特徴とするブロワの風管。
【請求項３】
圧送空気を生成して圧送するブロワ本体と、前記ブロワ本体に接続され、前記ブロワ本体から圧送される前記圧送空気を噴出する風管とを備え、
前記風管は、請求項１または請求項２に記載のブロワの風管である
ことを特徴とするブロワ。
【発明の詳細な説明】
【技術分野】
【０００１】
本発明は、ブロワの風管およびブロワに関する。
【背景技術】
【０００２】
従来、エンジンや電動モータ等の駆動手段によりファンを回転させて圧送空気を生成するブロワ本体と、ブロワ本体から圧送される圧送空気を噴出する風管とを備え、落ち葉等に向かって風管から圧送空気を噴出することにより落ち葉等を清掃するブロワが利用されている（例えば、特許文献１）。
【０００３】
図４は、従来の風管５の出口端部を示す図。
このようなブロワとしては、例えばブロワ本体が使用者に手持ちされる手持ち式のものが知られている。手持ち式では、重量を低減するために出力の低い電動モータが搭載されることが多く、図４に示すように、風力（風速）を増大させるために風管５の出口端部が絞られる。このように風管の出口端部が絞られた場合、風力を増大させることはできるが、圧送空気の噴出時に、当該圧送空気の流れにおける外側の空気が渦流となって多量に当該圧送空気の流れから剥離してしまうため、出口端部での圧力損失が増加してしまう。
【０００４】
ブロワとしては、前述の手持ち式のほか、ブロワ本体を台車に積載するウォークビハインド式のものが知られている。ウォークビハインド式のブロワでは、ブロワ本体を台車に載せるため、出力の大きい大型のエンジンを搭載することができ、大風力・大風量を得ることができる。
また、ブロワとしては、ブロワ本体が使用者に背負われる背負い式のものが知られている。背負い式のブロワでは、ブロワ本体が使用者に背負われるので、操作性を良好にできる。
【０００５】
【特許文献１】特開２００７−７１０２９号公報
【発明の開示】
【発明が解決しようとする課題】
【０００６】
ところで、このような背負い式のブロワにおいて、（比較的）大型のエンジンを搭載するものでは、ウォークビハインド式よりも操作性が良好であることと同時に、ウォークビハインド式と比べても遜色の無い風力・風量であることが求められる。落ち葉等の清掃に用いられることが多い背負い式のブロワでは、風量が清掃の容易化に大きく寄与するため、特に風量がウォークビハインド式と比べても遜色無く十分にあることが求められる。
しかしながら、単に風管の出口端部を絞っただけでは、前述したように、風力を増大させることはできるが、風量は逆に低減してしまい、十分には風量を得ることができないという問題がある。
【０００７】
本発明の目的は、良好な風力を得ることができ、かつ、十分に風量も得ることができるブロワの風管およびブロワを提供することにある。
【課題を解決するための手段】
【０００８】
本発明の請求項１に係るブロワの風管は、出口端部が、絞り部と、前記絞り部の後段に設けられ、前記絞り部から拡開するフレア部とを備えて構成されていることを特徴とする。
【０００９】
本発明の請求項２に係るブロワの風管は、請求項１に記載のブロワの風管において、前記風管の中心線に対する前記フレア部の傾斜角度は、断面視で７度以下であることを特徴とする。
【００１０】
本発明の請求項３に係るブロワは、圧送空気を生成して圧送するブロワ本体と、前記ブロワ本体に接続され、前記ブロワ本体から圧送される前記圧送空気を噴出する風管とを備え、前記風管は、請求項１または請求項２に記載のブロワの風管であることを特徴とする。
【発明の効果】
【００１１】
請求項１の発明によれば、風管の出口端部に絞り部が設けられているので、この絞り部によって、当該風管に送られてくる空気の流速を増大させることができ、良好な風力を得ることができる。  また、絞り部の後段にフレア部が設けられているので、絞り部で絞られ流速の増大した空気を、このフレア部によって拡げながらスムーズに外部へ噴出することができる。従って、空気の噴出時に、当該空気の流れにおける外側の空気が渦流となって当該空気の流れから剥離してしまうことを抑制することができ、十分に風量も得ることができる。よって、本発明の風管を、例えば落ち葉等の清掃用のブロワに適用した場合、良好な清掃能力を得ることができる。
【００１２】
ここで、風管の中心線に対するフレア部の傾斜角度が断面視で７度より大きい場合、フレア部を流通する空気の流れにおける外側の空気がフレア部内面に沿って流れず、当該空気の流れから剥離してフレア部内面近傍で渦流となってしまう。この渦流は、フレア部を流通する空気の流れの抵抗となり、当該空気の流れの速度を低減させ、風力を低減させてしまう。
しかしながら、請求項２の発明によれば、風管の中心線に対するフレア部の傾斜角度が断面視で７度以下なので、フレア部を流通する空気の流れにおける外側の空気をフレア部内面に沿って流通させることができ、フレア部内面近傍に渦流が発生してしまうことを防止できる。従って、風管の中心線に対するフレア部の傾斜角度を断面視で７度以下にすることで、風力の低減を抑えつつ、効果的に風量を増大させることができる。
【００１３】
請求項３の発明によれば、前述と同様の構成を備えているので、同様の効果を奏することができる。特に、本発明を、ブロワ本体が使用者に背負われる背負い式のブロワに適用した場合には、ウォークビハインド式よりも操作性が良好で、かつ、ウォークビハインド式と比べても遜色の無い十分な清掃能力を有するブロワとすることができる。
【発明を実施するための最良の形態】
【００１４】
以下、本発明の一実施形態を図面に基づいて説明する。
図１は、本実施形態に係るブロワ１を示す全体図である。
本実施形態のブロワ１は、大型のエンジン３１が搭載された背負い式のものとなっている。このブロワ１は、図１に示すように、側面視Ｌ字状に形成され、背負い可能に構成されたフレーム２と、このフレーム２上に支持されたブロワ本体３と、ブロワ本体３に接続された風管４とを備えている。
【００１５】
ブロワ本体３は、圧送空気を生成し、当該圧送空気を風管４に圧送する。このブロワ本体３は、大型のエンジン３１と、このエンジン３１により回転駆動される遠心式の図示しないファンと、出口部３２１に風管４が接続されるとともにファンを内部に収容し、ファンの回転によって生成される圧送空気を風管４に送るボリュートケース３２とを備えている。
【００１６】
風管４は、ブロワ本体３から圧送される圧送空気を落ち葉等に向かって噴出する。この風管４は、ボリュートケース３２の出口部３２１に接続されたエルボー４１と、エルボー４１に接続された蛇管４２と、蛇管４２に接続された操作管４３と、操作管４３に接続された接続管４４と、接続管４４に接続され、ブロワ本体３から各部材４１〜４４を介し圧送される圧送空気を出口端部４５１から噴出するノズル４５とを備えている。
【００１７】
蛇管４２には、蛇腹部４２１が形成されている。この蛇腹部４２１により、風管４を適宜の方向に回動させることができる。
操作管４３には、操作グリップ４３１が取り付けられている。この操作グリップ４３１には、エンジン３１の出力調整を行うスロットルレバー４３２が設けられている。作業時には、使用者は、スロットルレバー４３２を操作してエンジン３１の出力調整を行いながら、操作グリップ４３１により所望の方向にノズル４５を向けることで、当該所望の方向に圧送空気を噴出することができる。
【００１８】
図２は、ノズル４５を示す斜視図、図３は、ノズル４５を示す断面図である。
このようなブロワ１において、ノズル４５の出口端部４５１は、図２および図３に示すように、絞り部４５２と、絞り部４５２の後段に設けられ、絞り部４５２から拡開するフレア部４５３とを備えて構成されている。
【００１９】
このように、本実施形態では、ノズル４５に絞り部４５２が設けられているので、当該絞り部４５２によって、ブロワ本体３から送られてくる圧送空気の流速を増大させることができる。従って
、本実施形態では、絞り部４５２の後段にフレア部４５３が設けられている分、単にノズルの出口端部に絞り部のみが設けられる場合に比べ、若干流速を増大させる効果は低減するものの、十分良好な風力（流速）を得ることができる。
【００２０】
また、本実施形態では、絞り部４５２の後段にフレア部４５３が設けられているので、絞り部４５２で絞られ流速が増大した圧送空気を、フレア部４５３によって拡げながらスムーズに噴出できる。そのため、圧送空気の噴出時に、当該圧送空気の流れにおける外側の空気が渦流となって当該圧送空気の流れから剥離してしまうことを抑制することができる。従って、単にノズルの出口端部に絞り部のみが設けられる場合に比べ、風量を格段に増大させることができ、十分な風量を得ることができる。よって、本実施形態は、良好な清掃能力を得ることができ、ウォークビハインド式のものと比べても遜色の無い清掃能力を得ることができる。
【００２１】
このように風量を増大させるフレア部４５３は、ノズル４５の中心線Ｌ１（と平行な平行線Ｌ２）に対する傾斜角度が断面視で７度となるように形成されている。
【００２２】
ここで、ノズル４５の中心線Ｌ１に対するフレア部４５３の傾斜角度が、断面視で７度より大きい場合、圧送空気の流れにおける外側の空気がフレア部４５３内面に沿って流れず、当該圧送空気の流れから剥離してフレア部４５３内面近傍で渦流となってしまう。そして、この渦流は、圧送空気の流れの抵抗となり、圧送空気の風速を低減させ、風力を低減させてしまう。しかしながら、本実施形態では、ノズル４５の中心線Ｌ１に対するフレア部４５３の傾斜角度は、断面視で７度なので、圧送空気の流れにおける外側の空気をフレア部４５３内面に沿って流通させることができ、フレア部４５３内面近傍に渦流が発生してしまうことを防止できる。従って、風力の低減を抑えつつ、風量を最大限に増大させることができる。
【００２３】
〔実施形態の変形〕
なお、本発明は前述の実施形態に限定されるものではなく、本発明の目的を達成できる範囲での変形、改良等は本発明に含まれるものである。
前記実施形態では、フレア部４５３の開口端４５３１は、ノズル４５の中心線Ｌ１に垂直となるように形成されていたが、フレア部４５３の開口端４５３１は、ノズル４５の中心線Ｌ１に対して斜めになるように形成されていてもよい。
【００２４】
前記実施形態では、風管４は、背負い式のブロワに用いられていたが、手持ち式やウォークビハインド式のブロワに用いられてもよい。
前記実施形態では、風管４は、圧送空気のみを噴出する清掃用のブロワに用いられていたが、風管４は、圧送空気により除草剤等の薬剤を散布する薬剤散布用のブロワに用いられてもよい。
【産業上の利用可能性】
【００２５】
本発明は、ブロワの風管に利用でき、特に大型のエンジンが搭載された背負い式の清掃用のブロワに好適に利用できる。
【図面の簡単な説明】
【００２６】
【図１】本発明の一実施形態に係るブロワを示す全体図。
【図２】ノズルを示す斜視図。
【図３】ノズルを示す断面図。
【図４】従来の風管の出口端部を示す図。
【符号の説明】
【００２７】
１…ブロワ、３…ブロワ本体、４…風管、４５１…出口端部、４５２…絞り部、４５３…フレア部、Ｌ１…風管の中心線。
【図１】
2010084392.tif 000003
【図２】
2010084392.tif 000004
【図３】
2010084392.tif 000005
【図４】
2010084392.tif 000006